(57)【要約】      （修正有） 【課題】お守の要素を持ち、何らかの意味付けが成され、更に各種目や競技の内容が確認できる工夫がなされており、身に付けない場合はバッグや携帯電話に取り付けられる手段を設けたスポーツの場で使用する装身具を提供する。【解決手段】環状の装身具を形成する天然石等の玉の内、１つが他の玉より大きな大玉であり、その大玉にはスポーツで使用するボール又は道具をデザインする。また、場合によっては大玉に文字を施す。そして、複数の玉の1つに紐などが通せる穴または、ヒートンを設ける。【選択図】図１
0003149135.tif 000002
【実用新案登録請求の範囲】
【請求項１】
複数の玉を数珠繋ぎにして形成した環状の装身具において、複数の玉の内、一つの玉のみが他の玉よりも大きな形状である大玉になっていることを特徴とする装身具。
【請求項２】
請求項１に記載のものであって、大玉の球形面には、文字又は図形若しくは文字と図形の両方が施されており、大玉の球形面に施した図形は、球技であれば、サッカーボール、バレーボール、ベースボール、ラグビーボール、バスケットボール、テニスボール、ゴルフボールであり、他の競技であれば、競技に使用する道具であることを特徴とする装身具。
【請求項３】
請求項１乃至請求項２に記載のものであって、玉は、天然石、人工石、樹脂製から選ばれる１種または２種以上の組合せであることを特徴とする装身具。
【請求項４】
請求項１乃至請求項３に記載のものであって、玉に、更に紐を通す為のヒートン又は穴が設けられていることを特徴とする装身具。
【考案の詳細な説明】
【技術分野】
【０００１】
本考案は、お守の要素を兼ね備えたスポーツの場で使用できる装身具に関するものである。
【背景技術】
【０００２】
従来、数珠とは、一般に仏具であり、仏事や法要の際、手や首にかけて、揉んだり、玉を数えたりして用いるだけでなく、携帯しているだけでお守の要素足り得るものである。
【０００３】
また、ブレスレット、アンクレット、ネックレス、リングとは、一般に装身具であり、手首、足首、首、指にはめて主に個人のファッション性を高めるアイテムである。
【０００４】
一方、スポーツ中でも使用可能な装身具が増えている中で、確かにファッション性のみであればどんなものでも構わないが、勝負事に験を担ぐ選手も多く、身に付けている装身具自体がお守の要素を持ち、何らかの意味付けがなされ、更に各種目や競技の内容が確認できる工夫がなされているものはこれまでに無かった。
【特許文献１】実用新案登録第３０４７２１４号
【０００５】
また、スポーツの場は、選手のみならず、チームメイトや応援層等が集まる場でもあり、このような関係者が大会当日や、その前後から使用し、応援できるアイテムが望まれていた。
【０００６】
更に、身に付けない場合でもバッグや携帯電話に使用可能な工夫もこれまでに無かった。
【考案の開示】
【考案が解決しようとする課題】
【０００７】
本考案は、装身具にお守の要素を取り入れることで、何らかの意味付けが成され、更に各種目や競技の内容が確認でき、身に付けない場合でも使用できる工夫により上記問題を解決する。
【課題を解決するための手段】
【０００８】
請求項１に記載の考案は、複数の玉を環状に連結した装身具において、複数の玉の内、一つの玉のみが他の玉よりも大きな形状である大玉になっていることを特徴とする。
【０００９】
請求項２に記載の考案は、請求項１に記載のものであって、大玉の球形面には、文字又は図形若しくは文字と図形の両方が施されており、大玉の球形面に施した図形は、球技であれば、サッカーボール、バレーボール、ベースボール、ラグビーボール、バスケットボール、テニスボール、ゴルフボールであり、他の競技であれば、競技に使用する道具であることを特徴とする。
【００１０】
請求項３に記載の考案は、請求項１乃至請求項２に記載のものであって、玉は、天然石、人工石、樹脂製から選ばれる１種または２種以上の組合せであることを特徴とする。
【００１１】
請求項４に記載の考案は、請求項１乃至請求項３に記載のものであって、玉に、更に紐を通す為のヒートン又は穴を設けていることを特徴とする。
【考案の効果】
【００１２】
本考案によれば、元来お守の要素をもった装身具としてスポーツの場で使用できる。
【００１３】
請求項２に記載の考案によれば、大玉の外観より如何なるお守の要素をもった装身具であるか何のスポーツに使用するお守の要素をもった装身具であるか識別出来る。
【００１４】
請求項３に記載の考案によれば、天然石等の持つパワーをお守である装身具に加えることが出来る。
【００１５】
請求項４に記載の考案によれば、身に付けない場合でも、紐を通せば、ストラップとしてバッグや携帯電話に使用することが出来る。
【考案を実施するための最良の形態】
【００１６】
本考案の装身具は、中心に通し穴の開いた複数の天然石等の玉を伸縮性のある紐で通して環状に連結されており、複数の天然石等の玉の内１つが他の玉より大きな大玉になっている。そして、大玉の球面上にスポーツで使用するボール又は道具の図形が施されている。
【００１７】
また、大玉には更にスポーツに関する文字を有していることもある。
【００１８】
更に複数の玉の１つに紐を通す為のヒートン又は穴を設けている。
【実施例】
【００１９】
以下、図面を参照して本考案に係る装身具の内、ブレスレットの実施例を説明する。
図１は、球技で使用するベースボールのデザインを全体に施した大玉１個と複数の小玉で環状のブレスレットを構成している。
【００２０】
この時、大玉は、透明又は半透明の天然石であるクリスタルを使用するのが望ましいが、人工石又は樹脂製のものでも構わない。
【００２１】
ここで、人工石とは、合成石、人造石、模造石のことであり、合成石は天然石と同様の化学組成や結晶構造を持ったものを指し、人造石は科学的に造られた石なので天然石にはない化学組成、結晶構造を持ったものを指し、模造石はガラスに鉛などを含ませることで宝石を模造化したものを指す。
【００２２】
また、大玉に施したベースボールのデザインは、図２のように掘り込みでも良いが、表面印刷でも構わない。
【００２３】
次に、小玉も天然石の使用が望ましいが、人工石又は樹脂製のものでも構わない。
【００２４】
ここで、天然石であれば、いわゆるパワーストーンと呼ばれる天然石の使用が望ましい。パワーストーンは、石の種類によって例えば、「勝利」や「勇気」や「強運」を意味するものがあり、スポーツに共通する意味の石を利用すればよい。
【００２５】
そして、図３のように、大玉には文字と図形の両方を施しても構わない。
【００２６】
また、色にも、カラーパワーがあると言われる為、天然石等の持つ色を任意に組合せてブレスレットを構成することも可能である。
【００２７】
次に、天然石等の形状は、図１のように大玉、小玉共に玉型が望ましい。但し、ラグビーボールのような楕円形状のものは、大玉のみ楕円形状にしても構わない。
【００２８】
また、スポーツ中でも使用可能なように、手首等にはめても抜け落ちない程度にブレスレット、アンクレット、ネックレス、リングの紐は、伸縮性のあるものが望ましいが、更に子供用から大人用までの複数のサイズが選べるようにすればなお良い。
【００２９】
なお、実施例のように、スポーツが球技であれば、大玉のデザインは、サッカーボール以外にもベースボール、ラグビーボール、バレーボール、バスケットボール等をデザインすればよいが、例えば、アーチェリーやフェンシング等であれば、図４のように使用する道具をデザインしておくと大玉の外観より容易に競技種目を識別できる。
【００３０】
そして、予め、複数の玉の1つに穴又はヒートンを有しておけば、装身具として身に付けない場合、図５のように市販のストラップを取り付けることで他用途としての使用が可能となる。
【００３１】
ここでヒートンとは、図６のようにねじの頭に輪のように丸められた金属棒が付いた形状をしており、ねじ側を玉に固定し、輪の方へ紐を通して装身具を吊り下げることに使う金具であるが、同様の機能を備えたヒートンであればどのようなものでも構わない。
【００３２】
このように、好ましい実施例を挙げて本考案を説明したが、本考案はその実施例に限定されるものではなく、本考案の要旨の範囲内で種々に改変できる。
【図面の簡単な説明】
【００３３】
【図１】本考案に係る装身具の内、ブレスレットの平面図である。
【図２】本考案に係る装身具を構成する掘り込みの入った大玉の拡大図である。
【図３】本考案に係る装身具を構成する図形と文字の入った大玉の拡大図である。
【図４】本考案に係る球技以外の競技図案を施した大玉の拡大図である。
【図５】本考案に係る装身具にストラップを付けた図である。
【図６】ヒートンの一例を示す図である。
【符号の説明】
【００３４】
１  小玉
２  大玉
３  ヒートン
【図１】
0003149135.tif 000003
【図２】
0003149135.tif 000004
【図３】
0003149135.tif 000005
【図４】
0003149135.tif 000006
【図５】
0003149135.tif 000007
【図６】
0003149135.tif 000008